(57)【特許請求の範囲】
【請求項１】
中空成形機の押出機のダイスから吐出されたパリソンを型開した成形金型内に導入し、成形金型内のパリソン内にエア吹込ノズルを降下して打込んで上ばりを切断すると共に、エアを吹込んでブロー成形する中空成形法における中空成形品の上ばりの回収方法であって、
前記切断した上ばりを、エア吹込ノズルに付着させてエア吹込ノズルと一緒に上昇させて、中空成形品用保持体と別に設けた上ばり回収用のダクト付きハウジングの底板に穿設してある底孔を通過させてハウジング内に位置させ、続いて、その上ばりを、前記ハウジングの天板に穿設してあるノズル挿通用上孔の内面周縁に当接してエア吹込ノズルより取外して、上ばりの通過に伴い前記底孔を前記中空成形品用保持体と別に設けたシャッターで閉鎖状態にしてあるハウジング内に落下させ、落下した上ばりをダクトよりハウジングの外部に排出させるようにしたことを特徴とする中空成形法における中空成形品の上ばりの回収方法。
【請求項２】
中空成形機の押出機のダイスから吐出されたパリソンを型開した成形金型内に導入し、成形金型内のパリソン内にエア吹込ノズルを降下して打込んで上ばりを切断すると共に、エアを吹込んでブロー成形してなる中空成形品の上ばりの回収装置であって、
発生する上ばりを付着させた前記エア吹込ノズルを挿通させる大きさを持つ底板に穿設した底孔、および前記エア吹込ノズルのみを挿通させる、天板に穿設したノズル挿通用上孔を具備した上ばり回収用のダクト付きハウジングと、該ハウジングの前記底孔を開閉するシャッターとからなり、前記ダクト付きハウジングおよび前記シャッターを中空成形品用保持体と別に設けてなることを特徴とする中空成形品の上ばりの回収装置。
【請求項３】
前記ハウジングが、前記エア吹込ノズルを具備したノズル打込装置に吊り下げ支持されていることを特徴とする請求項２記載の中空成形品の上ばりの回収装置。
【発明の詳細な説明】
【０００１】
【発明の属する技術分野】
本発明は、中空成形品の合成樹脂の余剰部の回収方法およびその装置に関し、詳しくは中空成形品をブロー成形した際に発生する上方口部の余剰部（以下、上ばりと云う）を確実に回収する中空成形品の上ばりの回収方法およびその装置に関する。
【０００２】
【従来の技術】
一般的な合成樹脂製中空成形品の成形方法として、中空成形機の押出機のダイスから溶融・吐出した合成樹脂製のパリソンを成形金型内に導入し、成形金型を閉鎖してパリソンを挟持して後にホットカッターで切断し、続いて、ノズル吹込装置に備えてあるエア吹込ノズルをパリソン内に降下して打込んで、パリソン内にエア吹込ノズルを介してエアを吹込み、パリソンを膨大させて成形金型のキャビティに密着させて中空成形品を得るブロー成形方法が知られている。なお、中空成形機には、成形金型を開放あるいは閉鎖するための型締装置が備えてある。
【０００３】
このブロー成形方法において、パリソンをブロー成形して得た中空成形品は、降下して打込んだエア吹込ノズルに、発生した上ばりと一緒に吊下され、続いて、移行してきた成形金型に付随している中空成形品用の保持体に移管・保持される共に、エア吹込ノズルの上昇でエア吹込ノズルから開放され、次いで、中空成形品用の保持体に保持された状態で中空成形品の取出し位置に移行される。
【０００４】
このブロー成形方法での上ばりの発生は、成形金型内に導入されたパリソンを、中空成形品の上方部が所定形状になるように成形金型より若干突出してホットカッターで切断するため、その突出部がエア吹込ノズルを成形金型内のパリソン内に降下して打込んだ際に余剰部（上ばり）として残るに起因している。
【０００５】
この上ばりは、パリソン内にエア吹込ノズルを打込んだ際、成形金型のノズル打込用入口に位置するカウンタープレートのテーパ状内周縁とエア吹込ノズルの上方に位置するカッテングスリーブの外周縁とに挟まれて剪断的に切断される。
【０００６】
上ばりの回収は、例えば切断された上ばりと一緒にエア吹込ノズルに付着した中空成形品を中空成形品用保持体で保持し、エア吹込ノズルの上昇で上ばりをエア吹込ノズルに付着した状態で中空成形品より離脱させ、その上ばりを、エア吹込ノズルのさらなる上昇でノズル打込装置の下部の落下板に当接させてエア吹込ノズルより取外して空間部に落下させ、落下と同時に落下位置近傍にあるノズルから吹き出た噴出エアで、広口状に開口したシュータ内に飛ばして回収する方法で行われる。
【０００７】
また別の方法としては、上面部にハウジングがある中空成形品用保持体で、上ばりをハウジング内に位置させて中空成形品を保持し、エア吹込ノズルを上昇させて上ばりをエア吹込ノズルに付着した状態で中空成形品より離脱させ、その上ばりを、エア吹込ノズルのさらなる上昇でハウジングの上方の落下板に当接させてエア吹込ノズルより取外してハウジング内に落下させ、落下した上ばりを吹き出た噴出エアで、ハウジングに連設してあるシュータ内に飛ばして回収する方法で行われる。
【０００８】
さらに別の方法としては、上ばりに不断部を設けて中空成形品に上ばりを残した状態とし、その中空成形品を中空成形品用保持体で保持してエア吹込ノズルより取外した後に、上ばりを残した中空成形品を取出し位置に移行し、その位置で上ばりを掴んで切るなどの機械的手段により不断部を切断して上ばりを中空成形品より離すと共に、上ばりをシュータ内に落下して回収する方法も行われている。
【０００９】
【発明が解決しようとする課題】
しかしながら、これら上ばりの回収方法のうち、最初の方法は、狭い作業域においては有効な方法であるが開放状態の空間部分があるため、その部分よりシュータ内に飛ばされなかった上ばりが中空成形機の周囲に飛散することがあり、上ばりが確実に回収されない場合がある。
【００１０】
また、２番目の方法は、上ばりの部分をハウジング内に取入れて行うもので、上ばりが確実に回収されるが、ハウジングが中空成形品用保持体に一体的に設置してあるため、成形する中空成形品の形状が変わった場合、換言すると中空成形品用保持体が変わった場合には、ハウジングおよびそれに連設するシュータも取り換えなければならないと共に、中空成形品用保持体などの芯出に手間を要するものである。また、中空成形品用保持体の周囲で不具合が生じた際、その点検・回復などが大変になる場合がある。
【００１１】
最後の方法は、上ばりを中空成形品に残しこれを機械的手段で除去するものであり、上ばりが飛散などすることなく確実に回収されるが、機械的手段に特別な装置が必要になるものである。
【００１２】
【課題を解決するための手段】
本発明は、上記従来の技術的課題を解決するために案出されたもので、中空成形機の押出機のダイスから吐出されたパリソンを型開した成形金型内に導入し、成形金型内のパリソン内にエア吹込ノズルを降下して打込んで上ばりを切断すると共に、エアを吹込んでブロー成形する中空成形法における中空成形品の上ばりの回収方法であって、前記切断した上ばりを、エア吹込ノズルに付着させてエア吹込ノズルと一緒に上昇させて、中空成形品用保持体と別に設けた上ばり回収用のダクト付きハウジングの底板に穿設してある底孔を通過させてハウジング内に位置させ、続いて、その上ばりを、前記ハウジングの天板に穿設してあるノズル挿通用上孔の内面周縁に当接してエア吹込ノズルより取外して、上ばりの通過に伴い前記底孔を前記中空成形品用保持体と別に設けたシャッターで閉鎖状態にしてあるハウジング内に落下させ、落下した上ばりをダクトよりハウジングの外部に排出させるようにしたことを特徴としている。また、本発明の中空成形品の上ばりの回収装置は、中空成形機の押出機のダイスから吐出されたパリソンを型開した成形金型内に導入し、成形金型内のパリソン内にエア吹込ノズルを降下して打込んで上ばりを切断すると共に、エアを吹込んでブロー成形してなる中空成形品の上ばりの回収装置であって、発生する上ばりを付着させた前記エア吹込ノズルを挿通させる大きさを持つ、底板に穿設した底孔、および前記エア吹込ノズルのみを挿通させる、天板に穿設したノズル挿通用上孔を具備した上ばり回収用のダクト付きハウジングと、該ハウジングの前記底孔を開閉するシャッターとからなり、前記ダクト付きハウジングおよび前記シャッターを中空成形品用保持体と別に設けてなることを特徴とする。さらにこの回収装置は、前記ハウジングが、前記エア吹込ノズルを具備したノズル打込装置に吊り下げ支持されていることを特徴とする。
【００１３】
【発明の実施の形態】
以下、本発明の中空成形法における中空成形品の上ばりの回収方法およびその装置の実施形態を図面に基づいて詳述する。
【００１４】
本発明の中空成形品のブロー成形方法およびその装置を説明すれば、先ず、図１に示すように中空成形機の押出機のダイス（いずれも図示せず）から溶融・吐出された合成樹脂製のパリソンＰを一対の型開状態の成形金型１内に導入し、成形金型１を型閉してパリソンＰを挟持し、パリソンＰをホットカッター（図示せず）で切断して成形金型１に内在させる。
【００１５】
続いて、成形金型１を、エア吹込ノズル２と、その上方に位置するカッテングスリーブ２１およびノズルボディ２２などからなるノズル打込装置（図示せず）の下方に位置させて、パリソンＰ内にエア吹込ノズル２を降下して打込んで、エア吹込ノズル２を介してパリソンＰ内にエアを吹込み、パリソンＰを膨大させて成形金型１のキャビティに密着させて中空成形品３にブロー成形する。なお、２３はハウジング４などを吊っているシャフトなどであって、ノズル打込装置本体（図示せず）に固定されてある。
【００１６】
パリソンＰをブロー成形して得た中空成形品３は、成形金型１が型開して移動後、図２に示すように、エア吹込ノズル２に、エア吹込ノズル２を打込んだ際に発生した上ばり３１と一緒に吊り下げられる。
【００１７】
次いで、中空成形品３は、成形金型１の移動に伴って移ってきた成形金型１に付随の中空成形品用の保持体（図示せず）に移管・保持されると共に、エア吹込ノズル２の上昇でエア吹込ノズル２から開放され、上ばり３１をエア吹込ノズル２に残した状態でエア吹込ノズル２から離れ、中空成形品用保持体（図示せず）に保持されて中空成形品３の取出し位置に移行する。
【００１８】
この中空成形品３のブロー成形の過程で、成形金型１内に導入されたパリソンＰを中空成形品１の上方部が所定形状になるように成形金型１より若干突出してホットカッター（図示せず）で切断するため、その突出部がエア吹込ノズル２を成形金型１内のパリソンＰ内に降下して打込んだ際に余剰部として残り、上ばり３１が発生する。この上ばり３１は、パリソンＰ内にエア吹込ノズル２を打込んだ際あるいは打込んだ後に、成形金型１のノズル打込用入口に位置するカウンタープレート１１の内周縁とエア吹込ノズル２の上方に位置するカッテングスリーブ２１の外周縁とに挟まれて剪断的に切断される。
【００１９】
エア吹込ノズル２に残された上ばり３１は、図３に示すようにノズル打込装置（図示せず）のノズルボディ２２の上昇によりエア吹込ノズル２共々ハウジング４の底板に穿設してあるノズル挿通用の底孔４２を通過してハウジング４内に挿入・位置する。
【００２０】
エア吹込ノズル２のノズル挿通用底孔４２の通過と同時あるいは通過後にシャッター５が移行して、図３に示すようにノズル挿通用底孔４２を閉鎖状態にして、ハウジング４内に落下させた上ばり３１がハウジング４外に飛散しないようにする。なお、シャッター５は、合成樹脂製、金属製の平板であって図において左右あるいは前後にエアシリンダーなどの作動によってノズル挿通用の底孔を閉鎖するように摺動するものである。
【００２１】
ハウジング４内に挿入・位置された上ばり３１は、さらなるノズルボディ２２の上昇によるエア吹込ノズル２の上昇で、図４に示すようにハウジング４の天板に穿設したノズル挿通用の上孔４１の内面周縁に当接させられてエア吹込ノズル２より取外されて、ハウジング４内に落下し、落下した上ばり３１は、ハウジング４に付設してあるダクト４３よりハウジング４内に設けてあるエア噴出口４４から噴出したエア、あるいはダクト４３に連結してある吸込機構（図示せず）によってダクト４３外に排出されて回収される。
【００２２】
ダクト４３外に排出された上ばり３１は、ベルトコンベアやシュータなどの搬送装置（図示せず）によって搬送され、回収される。
【００２３】
なお、前記したハウジングのノズル挿通用の上孔は、天板を発生する上ばりの直径より大径の孔径を持つ上面側天板体と発生する上ばりの直径より小径の孔径を持つ下面側天板体との二重とし、必要に応じて下面側天板体を取り変えることで、発生する上ばりの直径に合わせて孔径を調整するようにしてあってもよい。
【００２４】
【発明の効果】
以上の説明で明らかなように、本発明によれば、エア吹込ノズルに残った上ばりを、エア吹込ノズル共々上昇させて上ばり回収用のダクト付きハウジンク内に挿入・位置してハウジングの天板に穿設してあるノズル挿通用上孔の内面周縁に当接してハウジング内に落下させ、ダクトよりハウジング外に排出させるので、上ばりが飛散することなく確実に回収できると共に、回収した上ばりを容易にリサイクルに供することができる。
【００２５】
また、上ばり回収用のハウジングを、ノズル打込装置の下部に設けて中空成形品用保持体とは別体にしてあるので、必要な芯出しが別々にできると共に、その作業も容易にできる。
【００２６】
さらに、中空成形品の形状の変化に伴って、上ばりの形状・大きさが変わった場合には、必要に応じてハウジングの天板に穿設した上孔の孔径を調整することによって対処することができるものである。
【図面の簡単な説明】
【図１】  本発明のパリソンを成形金型内に導入して中空成形品とする工程を示す工程説明図である。
【図２】  本発明の中空成形品をエア吹込ノズルに吊り下げる工程を示す工程説明図である。
【図３】  本発明の上ばりをハウジング内に導入して落下させる工程を示す工程説明図である。
【図４】  本発明の上ばりをハウジング内で落下させて回収する工程を示す工程説明図である。
【符号の説明】
１…成形金型
２…エア吹込ノズル
３…中空成形品
４…ハウジング
５…シャッター
１１…カウンタープレート
２１…カッテングスリーブ
３１…上ばり
４１…上孔
４２…底孔
４３…ダクト
４４…エア噴出口
４５…ハウジング固定プレート
Ｐ…パリソン
【図１】
0004695788.tif 000002
【図２】
0004695788.tif 000003
【図３】
0004695788.tif 000004
【図４】
0004695788.tif 000005